(57)【要約】【課題】各種電子機器の入力操作部に用いられるプッシュスイッチに関し、フラックス浸入対策が図られたケースを有するものを安価に提供する。【解決手段】成形樹脂製でスイッチ接点部を有するケース４１と、そのケース４１から導出された第一端子１１、第二端子２２を有したプッシュスイッチであって、上記ケース４１は、中間部１３、２４などを有した接点付き端子１０、２０をインサート成形して形成されており、そのケース４１底部の上記中間部１３、２４側に向けて窪んだピン跡の中で、各端子１１、２２に近接する位置のピン跡を、先端位置に上記中間部１３、２４を覆う成形樹脂が介在する穴状ピン跡５０となる構成のものとした。【選択図】図３
2014154343.tif 000002
【特許請求の範囲】
【請求項１】
成形樹脂製のケースと、スイッチ接点部と、上記ケースから導出された端子とを有したプッシュスイッチであって、
上記スイッチ接点部の接点と上記端子との間は中間部で繋がれており、
上記ケースは、上記中間部に対応した箇所に上記中間部側に向けて窪んだピン跡を有し、その窪んだピン跡の先端位置に上記中間部を覆う成形樹脂が介在する構成としたことを特徴とするプッシュスイッチ。
【発明の詳細な説明】
【技術分野】
【０００１】
本発明は、各種電子機器の入力操作部に用いられるプッシュスイッチに関するものである。
【背景技術】
【０００２】
近年、各種電子機器は小型薄型化が進展し、その入力操作部に用いられるプッシュスイッチについても小型化や薄型化などへの要望が高くなっている。
【０００３】
このような従来のプッシュスイッチについて、図５〜図９を用いて説明する。
【０００４】
図５は従来のプッシュスイッチの断面図、図６は同分解斜視図、図７は同下面図、図８は図７のＰ−Ｐ線におけるケースのみの断面図、図９は図７のＱ−Ｑ線におけるケースのみの断面図である。
【０００５】
同図において、１は、上方開口の凹部を有した上面視略矩形状に絶縁樹脂から形成されたケースであり、このケース１には、所定形状に形成された二つの金属板製の接点付き端子１０、２０がインサート成形して形成されている。
【０００６】
一方の接点付き端子１０は、図７や図８に示したように、両端の第一端子１１と、その第一端子１１どうしの間を直線状に繋いでいる中間部１３と、中間部１３の中央位置から他方の接点付き端子２０側に向けて延設された直線状の中間部１５とを有し、中間部１５の先端位置には中央接点２が設けられている。
【０００７】
他方の接点付き端子２０は、図７や図９に示したように、両端の第二端子２２と、その第二端子２２どうしの間を直線状に繋いでいる中間部２４と、中間部２４のなかほどの位置から上記一方の接点付き端子１０側に上面視略Ｃ字状になるように延出された二つの中間部２６とを有し、その中間部２６の先端位置には外側接点３が設けられている。
【０００８】
接点付き端子１０と２０とは、第一端子１１どうしの間を繋いでいる中間部１３と第二端子２２の間を繋いでいる中間部２４とが平行関係になり、かつ接点付き端子１０の直線状の中間部１５が、接点付き端子２０の中間部２６によるＣ字内に位置するように配置されてケース１にインサート成形されている。そして、第一端子１１はケース１の互いに対向する側面１Ａ、１Ｂそれぞれから一つずつ外方に突出し、第二端子２２も側面１Ａ、１Ｂそれぞれから一つずつ外方に突出している。中央接点２、外側接点３は、ケース１の凹部の内底面に露出している。
【０００９】
５は、上方凸型のドーム形状に形成された弾性金属薄板製の可動接点であり、その外周下端を外側接点３上に載せて凹部内に配されている。そして、ケース１の上面部には可撓性を有する保護シート７が装着されており、凹部上は保護シート７で覆われている。
【００１０】
従来のプッシュスイッチは、以上のように構成されており、その動作としては、保護シート７上から可動接点５に押し下げ力を加えていき、その力が所定の大きさを超えると、可動接点５が節度感を伴いつつ弾性反転し、可動接点５の下面が中央接点２に当接する。これによって、可動接点５を介して中央接点２と外側接点３との間が導通状態になり、端子１１と２２が導通しているスイッチオン状態になる。
【００１１】
そして、その押し下げ力を除くと、可動接点５は自身の復帰力で元の上方凸形の形状に自己復元し、図５に示した中央接点２と外側接点３との間が電気的な独立状態である元のスイッチオフ状態に戻るものであった。
【００１２】
なお、この出願の発明に関連する先行技術文献情報としては、例えば、特許文献１が知られている。
【先行技術文献】
【特許文献】
【００１３】
【特許文献１】特開２０１１−６０６２７号公報
【発明の概要】
【発明が解決しようとする課題】
【００１４】
従来のプッシュスイッチは、二つの接点付き端子１０、２０をインサート成形して形成されたケース１を有している。そのケース１の形成方法としては、二つの接点付き端子１０、２０を上下割りの金型の間に位置決めし、金型を閉じた後、形成するケース１の形状に合わせて構成されたキャビティ内に溶融した樹脂を注入して形成していた。そのインサート成形中には、金型の上型で凹部内での接点付き端子１０、２０の上面側の露出箇所を押さえ、金型の下型に設けた押さえピンで接点付き端子１０、２０の対応する中間部の下面側を下方から支えて溶融した樹脂を注入して成形し、その後、上記樹脂が所定温度までさめた状態になった後に上記押さえピンをケース１の底部から抜くようにしていた。
【００１５】
上記のようにケース１を形成すると、ケース１の底部に押さえピンで支えていた箇所がピン跡として残るが、そのピン跡としては、接点付き端子１０、２０の支えていた下面箇所が露出状態になるピン孔３０（図５、図７〜図９参照）となり、製品が小型化されていくにつれて、ピン孔３０自身を小さくするようにしていたが、ピン孔３０と各端子１１、２２までの間隔が短くなってしまい、端子１１、２２に近接するピン孔３０からのフラックスの浸入防止の点においては不利となるものであった。
【００１６】
一方、押さえピンを樹脂圧で後退させつつインサート成形して、ピン孔３０を有しないケースに形成することも可能であったが、この方法は、金型構造が複雑化するため、コストアップ要因になるという課題があった。
【００１７】
本発明は、このような従来の課題を解決するものであり、フラックス浸入対策が図られたケースを有するプッシュスイッチを安価に提供することを目的とする。
【課題を解決するための手段】
【００１８】
上記目的を達成するために本発明は、成形樹脂製のケースと、スイッチ接点部と、上記ケースから導出された端子とを有したプッシュスイッチであって、上記スイッチ接点部の接点と上記端子との間は中間部で繋がれており、上記ケースは、上記中間部に対応した箇所に上記中間部側に向けて窪んだピン跡を有し、その窪んだピン跡の先端位置に上記中間部を覆う成形樹脂が介在する構成としたことを特徴とするプッシュスイッチである。
【００１９】
これであれば、その窪んだピン跡の先端位置には、対応する中間部を覆う成形樹脂が介在する構成であるため、上記ピン跡からのケースへのフラックス浸入が防止されたもの、言い換えると、フラックス浸入対策が図られたケースを有するものにできるという作用を有する。そして、当該ケースは、金型を閉じた状態で中間部に対し若干の距離をもって先端が位置する長さの押さえピンを有する金型を用いて構成することもでき、これであればコストアップ要因も少なくて済むという作用も有する。
【発明の効果】
【００２０】
本発明によれば、フラックス浸入対策が図られたケースを有するプッシュスイッチを安価に提供することができるという有利な効果が得られる。
【図面の簡単な説明】
【００２１】
【図１】本発明の実施形態によるプッシュスイッチの断面図
【図２】同下面図
【図３】図２のＲ−Ｒ線におけるケースのみの断面図
【図４】図２のＳ−Ｓ線におけるケースのみの断面図
【図５】従来のプッシュスイッチの断面図
【図６】同分解斜視図
【図７】同下面図
【図８】図７のＰ−Ｐ線におけるケースのみの断面図
【図９】図７のＱ−Ｑ線におけるケースのみの断面図
【発明を実施するための形態】
【００２２】
以下、本発明の実施の形態について、図１〜図４を用いて説明する。なお、従来の技術の項で説明した構成と同一構成の部分には同一符号を付して、詳細な説明を簡略化する。
【００２３】
（実施の形態）
図１は本発明の実施形態によるプッシュスイッチの断面図、図２は同下面図、図３は図２のＲ−Ｒ線におけるケースのみの断面図、図４は図２のＳ−Ｓ線におけるケースのみの断面図である。
【００２４】
同図において、４１は上方開口の凹部を有した上面視略矩形状に絶縁樹脂から形成されたケースである。このケース４１には、従来と同じ二つの金属板製の接点付き端子１０、２０がインサート成形されて形成されたものとなっている。なお、接点付き端子１０、２０のケース４１内での配置関係は従来と同じであるため詳細説明は省略する。そして、第一端子１１はケース４１の互いに対向する側面４１Ａ、４１Ｂそれぞれから一つずつ外方に突出し、第二端子２２も側面４１Ａ、４１Ｂそれぞれから一つずつ外方に突出している。中央接点２、外側接点３は、ケース４１の凹部の内底面に露出している。
【００２５】
そして、ケース４１の凹部内には、従来同様に可動接点５が配されており、その外周下端は、外側接点３上に載っている。また、ケース４１の上面部には可撓性を有する保護シート７が装着されており、凹部上は保護シート７で覆われている。
【００２６】
以上のように、当該実施の形態によるプッシュスイッチは構成されている。なお、その動作については従来と同じであるため説明を省略する。
【００２７】
ここに、当該実施形態によるプッシュスイッチは、ケース４１の底部側に特徴を有したものとなっている。
【００２８】
つまり、ケース４１の底部にインサート成形時に用いた押さえピンのピン跡があることは従来同様であるが、そのピン跡としては、接点付き端子１０、２０の中間部における対応した下面箇所が露出している従来と同じピン孔３０と、接点付き端子１０、２０における中間部側に向けて窪み、その先端位置に上記中間部を覆う成形樹脂が介在する穴状ピン跡５０とを有したものとなっている。
【００２９】
そして、穴状ピン跡５０は、図２〜図４に示すように、第一端子１１間を直線状に繋ぐ中間部１３の真下でそれぞれの端子１１側に近接する位置、および第二端子２２間を直線状に繋ぐ中間部２４の真下でそれぞれの端子２２側に近接する位置に形成されたものとなっている。
【００３０】
一方、従来と同じピン孔３０は、ケース４１の中央部付近の位置、言い換えると各端子１１、２２に対して所定距離離れた位置に形成されている。たとえば、第一端子１１間を繋ぐ中間部１３の中央よりの真下の位置や、他方側の接点付き端子２０に向けて延設された中間部１５に設けられた中央接点２周囲の真下の位置、また第二端子２２間を繋ぐ中間部２４の中央よりの真下の位置や、一方側の接点付き端子１０に向けて延設された中間部２６に設けられた外側接点３の真下の位置に形成されている。
【００３１】
そして、当該ケース４１は、二つの接点付き端子１０、２０を上下割りの金型の間に位置決めして金型を閉じた後、形成するケース４１の形状に合わせて構成されたキャビティ内に溶融した樹脂を注入して形成されていることや、その金型を閉じた状態で、金型の上型で接点付き端子１０、２０の凹部内での上面側の露出箇所を押さえて成形することは従来と同じである。
【００３２】
しかしながら、このインサート成形時に用いる金型としては、下型に設ける押さえピンを従来とは異なったものとしている。つまり、当該ケース４１を簡素な構造の上下割りの金型によって得るために、その下型において、金型を閉じた状態で接点付き端子１０、２０の対応する中間部の下面側に当接し、その下面箇所を直接下方から支える長さに設定された従来と同じ第一押さえピンと、金型を閉じた状態で接点付き端子１０、２０の対応する中間部の下面箇所とは所定距離を保つ位置に先端が位置する長さに設定した第二押さえピンとを有したもので形成している。
【００３３】
そして、上述した第二押さえピン側での所定距離としては、金型を閉じた状態で第二押さえピンの先端と接点付き端子１０、２０の対応する中間部の下面箇所との間に溶融状態の樹脂が流動し樹脂圧でその中間部の下面箇所が上型に向けて押し付けられ、冷却後に第二押さえピンに対応する中間部の下面箇所が成形樹脂で覆われる寸法に設定したものとしている。なお、当該下型では、ケース４１の中央部付近の位置に第一押さえピンを設置し、ケース４１の各端子１１、２２に近接する箇所には第二押さえピンのみを設置したものとしている。
【００３４】
上述した下型を有する簡素な上下割りの金型を用いてケース４１を形成することによって、各端子１１、２２に近接する箇所に設置した第二押さえピンによるピン跡としては、中間部１３、２４の下面側に向けて窪み、かつその窪んだ先端位置には、対応する中間部１３、２４の下面箇所を覆う成形樹脂が介在している穴状ピン跡５０を有したものとして容易に形成することができる。このように、当該ケース４１は、第一端子１１と第二端子２２の導出位置近傍の箇所に穴状ピン跡５０のみを有したものとして形成されている。
【００３５】
なお、各端子１１、２２に近接する位置のピン跡としては、穴状ピン跡５０のほうがフラックス浸入防止の観点からすればピン孔３０より有利である。このため、ケース４１の各端子１１、２２に近接する位置には穴状ピン跡５０のみが配される構成にするとよいが、ピン孔３０と穴状ピン跡５０との位置設定や比率などは必要に応じて適宜設定してもよい。
【００３６】
なお、下型において、第一押さえピンと第二押さえピンとを混在させたものとすることは重要である。すなわち、全てを第二押さえピンにすると、インサート成形時に接点付き端子１０、２０の対応する中間部の高さ位置にふらつき等が生じることがあるためである。
【００３７】
そして、従来品で用いた上下割りの金型を改造して、第一押さえピンと第二押さえピンとを混在させたものとすることなども容易であり、それによって金型費用を抑えることもできる。
【００３８】
以上のように、各端子１１、２２の近傍位置に穴状ピン跡５０のみを有する当該ケース４１を有したプッシュスイッチであれば、フラックス浸入対策が図られたものとして安価に提供することができる。
【００３９】
なお、接点付き端子１０、２０は、上記に説明した形状に限定されることはなく、また、接点が形成されていないもの、端子を構成しないもの、それら両者を有していないものなどであってもよい。そして、上記各接点２、３と可動接点５から構成されるスイッチ接点部としても上述した構成のものに限定されることはない。なお、スイッチ接点部を作動させるための駆動用部材が付加された構成等であってもよい。さらには、端子１１、２２の形状や本数も適宜設定すればよく、またその導出位置などについても限定はされない。たとえば、端子の導出位置を、ケースの底部位置に合わせて導出する以外にケースの中間高さ位置から端子が導出されるものなどとされていてもよい。
【００４０】
なお、本発明による思想は、上述構成のプッシュスイッチ以外に、プッシュスイッチ付の回転型可変抵抗器、エンコーダなどのケースに適用してもよい。
【産業上の利用可能性】
【００４１】
本発明によるプッシュスイッチは、フラックス浸入対策が図られたケースを有するものとして安価に提供することができ、主に電子機器の入力操作部用等に有用である。
【符号の説明】
【００４２】
２  中央接点
３  外側接点
５  可動接点
７  保護シート
１０、２０  接点付き端子
１１  第一端子
１３、１５、２４、２６  中間部
２２  第二端子
３０  ピン孔
４１  ケース
４１Ａ、４１Ｂ  側面
５０  穴状ピン跡
【図１】
2014154343.tif 000003
【図２】
2014154343.tif 000004
【図３】
2014154343.tif 000005
【図４】
2014154343.tif 000006
【図５】
2014154343.tif 000007
【図６】
2014154343.tif 000008
【図７】
2014154343.tif 000009
【図８】
2014154343.tif 000010
【図９】
2014154343.tif 000011